(57)【要約】【課題】  ソフトの変更なしで自動用紙選択の検索条件変更を可能とした画像形成装置を提供する。【解決手段】  検索条件として用紙サイズと紙種を一致させる自動用紙選択機能を有する画像形成装置において、自動用紙選択機能の実行に際し、検索条件変更要求があった場合、変更可能か判断し、変更可能であれば検索条件テーブル４に変更内容を記憶させる制御手段１を備えた。【選択図】        図１
2007121527.tif 000002
【特許請求の範囲】
【請求項１】
検索条件として用紙サイズと紙種を一致させる自動用紙選択機能を有する画像形成装置において、自動用紙選択機能の実行に際し、検索条件変更要求があった場合、変更可能か否かを判断し、変更可能であれば検索条件テーブルに変更内容を記憶させる制御手段を備えたことを特徴とする画像形成装置。
【請求項２】
請求項１記載の画像形成装置において、前記検索条件変更要求はコマンド受信手段からのコマンドによってなされることを特徴とする画像形成装置。
【請求項３】
請求項１記載の画像形成装置において、前記検索条件変更要求は操作パネルからの入力によってなされることを特徴とする画像形成装置。
【請求項４】
請求項１記載の画像形成装置において、検索条件確認コマンドを受信した場合、検索条件を確認することを特徴とする画像形成装置。
【請求項５】
検索条件として用紙サイズと紙種を一致させる自動用紙選択機能を有する画像形成装置において、自動用紙選択機能の実行に際し、検索条件変更要求があった場合、その要求を無視する制御手段を備えたことを特徴とする画像形成装置。
【請求項６】
請求項１記載の画像形成装置において、前記検索条件変更要求により選択された給紙トレイを操作パネルに表示することを特徴とする画像形成装置。
【発明の詳細な説明】
【技術分野】
【０００１】
本発明は、複写機、プリンタなどの画像形成装置に関し、特に、用紙サイズと紙種が一致する検索条件とする自動用紙選択機能を有する画像形成装置に関する。
【背景技術】
【０００２】
画像形成装置においては、読取対象の原稿サイズに合わせて、自動的に用紙サイズを選択する自動用紙選択機能が古くから知られている。これは等倍に限らず、変倍率に対応して、自動的に用紙を選択するものである。また、用紙サイズのみならず、紙種も自動的に選択する機能も追加された。つまり、用紙サイズと紙種が一致する検索条件とする自動用紙選択機能を有する画像形成装置が従来から知られている。
【発明の開示】
【発明が解決しようとする課題】
【０００３】
ここで、機種間での互換性が統一されていない場合や、ユーザーが独自の条件設定を行いたい場合、改めて自動用紙選択機能用のソフトを作成する必要があった。
本発明は、ソフトの変更なしで自動用紙選択の検索条件変更を可能とした画像形成装置を提供することを目的とする。
【課題を解決するための手段】
【０００４】
上記目的を達成するために、請求項１記載の発明は、検索条件として用紙サイズと紙種を一致させる自動用紙選択機能を有する画像形成装置において、自動用紙選択機能の実行に際し、検索条件変更要求があった場合、変更可能か否かを判断し、変更可能であれば検索条件テーブルに変更内容を記憶させる制御手段を備えた画像形成装置を最も主要な特徴とする。
請求項２記載の発明は、請求項１記載の画像形成装置において、検索条件変更要求はコマンド受信手段からのコマンドによってなされる画像形成装置を主要な特徴とする。
請求項３記載の発明は、請求項１記載の画像形成装置において、検索条件変更要求は操作パネルからの入力によってなされる画像形成装置を主要な特徴とする。
請求項４記載の発明は、請求項１記載の画像形成装置において、検索条件確認コマンドを受信した場合、検索条件を確認する画像形成装置を主要な特徴とする。
請求項５記載の発明は、検索条件として用紙サイズと紙種を一致させる自動用紙選択機能を有する画像形成装置において、自動用紙選択機能の実行に際し、検索条件変更要求があった場合、その要求を無視する制御手段を備えた画像形成装置を最も主要な特徴とする。
請求項６記載の発明は、請求項１記載の画像形成装置において、検索条件変更要求により選択された給紙トレイを操作パネルに表示する画像形成装置を主要な特徴とする。
【発明の効果】
【０００５】
本発明によれば、検索条件として用紙サイズと紙種を一致させる自動用紙選択機能を有する画像形成装置において、自動用紙選択機能の実行に際し、検索条件変更要求があった場合、変更可能か判断し、変更可能であれば検索条件テーブルに変更内容を記憶させる制御手段を備えたので、ソフトの変更なしで、自動用紙選択の検索条件変更が可能となる。
【発明を実施するための最良の形態】
【０００６】
以下、図面を参照して、本発明の実施形態を詳細に説明する。
図１は本発明の実施形態に係る画像形成装置の機能ブロック図である。本画像形成装置は、検索条件として用紙サイズと紙種を一致させる自動用紙選択機能を有するものであって、制御手段１を中心にして、操作パネル２、コマンド受信手段３、検索条件テーブル４を備える。以下、制御手段１による制御動作を説明する。
図２は本発明の画像形成装置における第１の制御例を示すフローチャートである。自動用紙選択機能の実行に際し、検索条件変更要求があった場合（Ｓ１でＹ）、変更可能か判断し（Ｓ２）、変更可能であれば検索条件テーブル４に変更内容を記憶する（Ｓ３）。
ここで検索条件変更要求は操作パネル２からの入力によってなされる。あるいは、検索条件変更要求はコマンド受信手段３で受信した図示しないホストコンピュータからのコマンドによってなされる。
【０００７】
図３は本発明の画像形成装置における第２の制御例を示すフローチャートである。自動用紙選択機能が実行された場合（Ｓ１でＹ）、かつ印刷が開始された場合（Ｓ２）、検索条件テーブル４に一致した給紙トレイか判断する（Ｓ３）。検索条件テーブル４に一致した給紙トレイであれば、自動用紙選択結果シートに履歴する（履歴を書き込む）（Ｓ４）。検索条件テーブル４に一致した給紙トレイでなければ、コマンド無効か判断し（Ｓ５）、コマンド無効であれば自動用紙選択結果シートに履歴する（Ｓ６）。
図４は本発明の画像形成装置における第３の制御例を示すフローチャートである。自動用紙選択機能の実行に際し、検索条件変更要求コマンドがあった場合（Ｓ１でＹ）、対象が用紙サイズであれば（Ｓ２でＹ）、検索条件テーブル４にその条件変更（変更された条件）を記憶する（Ｓ３）。対象が紙種であれば（Ｓ４でＹ）、検索条件テーブル４にその条件変更（変更された条件）を記憶する（Ｓ５）。図５に検索条件テーブルの一例を示す。
図６は本発明の画像形成装置における第４の制御例を示すフローチャートである。自動用紙選択機能の実行に際し、検索条件確認コマンドがあった場合（Ｓ１でＹ）、最新の検索条件の確認であれば（Ｓ２でＹ）、最新の検索条件テーブル４から検索条件を取り出す（Ｓ３）。履歴の確認であれば（Ｓ４でＹ）、最新の検索条件テーブル４から履歴を取り出す（Ｓ５）。
図７は本発明の画像形成装置における第５の制御例を示すフローチャートである。自動用紙選択機能の実行に際し、検索条件変更要求コマンドがあった場合（Ｓ１でＹ）、セキュリティを確保するために、このコマンドを無効として検索条件テーブル４の情報を削除する（Ｓ２乃至Ｓ４）。
図８は本発明の画像形成装置における第６の制御例を示すフローチャートである。検索条件が変更された場合にその旨操作パネル２に表示する（Ｓ１乃至Ｓ３）。
【図面の簡単な説明】
【０００８】
【図１】本発明の実施形態に係る画像形成装置の機能ブロック図。
【図２】本発明の画像形成装置における第１の制御例を示すフローチャート。
【図３】本発明の画像形成装置における第２の制御例を示すフローチャート。
【図４】本発明の画像形成装置における第３の制御例を示すフローチャート。
【図５】検索条件テーブルの一例を示す図。
【図６】本発明の画像形成装置における第４の制御例を示すフローチャート。
【図７】本発明の画像形成装置における第５の制御例を示すフローチャート。
【図８】本発明の画像形成装置における第６の制御例を示すフローチャート。
【符号の説明】
【０００９】
１  制御手段
２  操作パネル
３  コマンド受信手段
４  検索条件テーブル
【図１】
2007121527.tif 000003
【図２】
2007121527.tif 000004
【図３】
2007121527.tif 000005
【図４】
2007121527.tif 000006
【図５】
2007121527.tif 000007
【図６】
2007121527.tif 000008
【図７】
2007121527.tif 000009
【図８】
2007121527.tif 000010